(57)【要約】【課題】製造コストの低減とコンパクト化を可能としたデジタルカメラを提供すること。【解決手段】ズームイン動作を実行するときには、第１レンズユニット１０と第２レンズユニット２０とが第１ズーム位置に配置された場合にＣＣＤカメラ５０により撮像した画像Ｄ１１のうちのどの領域の画像が、第２ズーム位置に配置されたときに液晶表示パネルに表示されるのかを判断する。そして、第１レンズユニット１０と第２レンズユニット２０とが第１ズーム位置から第２ズーム位置まで移動する間に、第１レンズユニット１０と第２レンズユニット２０とが第１ズーム位置に配置された場合にＣＣＤカメラ５０により撮像し液晶表示パネルに表示された画像Ｄ１１から、第２ズーム位置に配置された場合に液晶表示パネルに表示される画像Ｄ１４まで、電子的にズームイン表示を実行する。【選択図】        図２
2004253972.tif 000002
【特許請求の範囲】
【請求項１】
複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、
前記ズームレンズ鏡胴を介して被写体の像を撮影する撮像素子と、
前記撮像素子で撮影した被写体の像を表示する表示手段と、
を備えたデジタルカメラであって、
ズーム動作を実行するときに、ズーム動作を実行する前に得た被写体の情報を画像処理することによりズーミングさせた画像を、前記表示手段に表示することを特徴とするデジタルカメラ。
【請求項２】
複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、
前記ズームレンズ鏡胴を介して被写体の像を撮影する撮像素子と、
前記撮像素子で撮影した被写体の像を表示する表示手段と、
を備えたデジタルカメラであって、
前記複数の倍率のうちの第１の倍率から第２の倍率にズームイン動作を実行するときに、前記第１の倍率において得た被写体の情報を画像処理することにより、前記第１の倍率から前記第２の倍率まで順次拡大した被写体の画像を、連続的に前記表示手段に表示することを特徴とするデジタルカメラ。
【請求項３】
複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、
前記ズームレンズ鏡胴を介して被写体の像を撮影する撮像素子と、
前記撮像素子で撮影した被写体の像を表示する表示手段と、
を備えたデジタルカメラであって、
前記複数の倍率のうちの第１の倍率から第２の倍率にズームアウト動作を実行するときに、前記第１の倍率において得た被写体の情報を画像処理することにより、前記第１の倍率から前記第２の倍率まで順次縮小した被写体の画像を、連続的に前記表示手段に表示することを特徴とするデジタルカメラ。
【請求項４】
請求項３に記載のデジタルカメラにおいて、
前記撮像素子は、前記複数のレンズユニットが前記第１の倍率で撮影を行うための位置に配置された状態で、被写体における前記第２の倍率において撮影されるべき領域が撮影可能であり、
前記表示手段は、前記撮像素子により撮影された領域のうち中央部の領域のみを表示するデジタルカメラ。
【請求項５】
請求項１乃至請求項４に記載のデジタルカメラにおいて、
前記撮像素子はＣＣＤカメラであり、前記表示手段は液晶表示パネルであるデジタルカメラ。
【発明の詳細な説明】
【０００１】
【発明の属する技術分野】
この発明は、ズームレンズ鏡胴と、ＣＣＤカメラ等の撮像素子と、液晶表示パネル等の表示手段とを備えたデジタルカメラに関する。
【０００２】
【従来の技術】
このようなデジタルカメラにおけるズームレンズ鏡胴においては、ズーミングとピント合わせとを実行するため、複数のレンズユニットを１つのモータで駆動してズーミングを行い、別のレンズユニットを第１のモータで移動させてピント合わせを行う構成となっている。
【０００３】
このため、このようなデジタルカメラにおいては、ズーミングとピント合わせとを実行するために２個のモータが必要となり、デジタルカメラの製造コストの低減とコンパクト化の障害となっていた。
【０００４】
一方、一般の銀塩フィルム用カメラにおいては、複数の倍率に変倍を行うために第１、第２レンズユニットを移動させるズーム区間と、前記倍率においてピントが合うように第２レンズユニットを停止させた状態で第１レンズユニットを移動させる前記ズーム区間と隣接して設けられたフォーカス区間とを連続して有し、複数の倍率に段階的に変倍可能なズームフォーカスタイプのズームレンズ鏡胴を使用することにより、単一のモータでズーミングとピント合わせとを実行することが可能な構成が採用されている（例えば、特許文献１、特許文献２参照）。
【０００５】
【特許文献１】
特開２０００−６６０８２
【０００６】
【特許文献１】
特開２００１−２１５３９７
【０００７】
そして、このような銀塩フィルム用カメラにおける光学ファインダーにおいては、上述した第１、第２レンズユニットを移動させるモータの駆動により、ファインダーに表示される画像の倍率を変更する構成となっている。
【０００８】
【発明が解決しようとする課題】
デジタルカメラにおいては、ＣＣＤカメラ等の撮像素子で撮影した画像を電気信号として液晶表示パネル等の表示手段に送信し、この画像を表示手段上に表示する構成となっている。
【０００９】
このため、このようなデジタルカメラに上述したズームフォーカスタイプのズームレンズ鏡胴を使用した場合には、第１、第２のレンズがズーム区間とフォーカス区間を順次移動する構成であることから、ズーム動作中に被写体の画像を連続的にズーミングすることは不可能であり、また、ズーミング動作中に表示手段に表示される画像は焦点が合っていないものになるという問題が生ずる。
【００１０】
この発明は上記課題を解決するためになされたものであり、デジタルカメラにズームフォーカスタイプのズームレンズ鏡胴を使用可能とすることにより、その製造コストの低減とコンパクト化を可能としたデジタルカメラを提供することを目的とする。
【００１１】
【課題を解決するための手段】
請求項１に記載の発明は、複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、前記ズームレンズ鏡胴を介して被写体の像を撮影する撮像素子と、前記撮像素子で撮影した被写体の像を表示する表示手段と、を備えたデジタルカメラであって、ズーム動作を実行するときに、ズーム動作を実行する前に得た被写体の情報を画像処理することによりズーミングさせた画像を、前記表示手段に表示することを特徴とする。
【００１２】
請求項２に記載の発明は、複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、前記ズームレンズ鏡胴を介して被写体の像を撮影する撮像素子と、前記撮像素子で撮影した被写体の像を表示する表示手段と、を備えたデジタルカメラであって、前記複数の倍率のうちの第１の倍率から第２の倍率にズームイン動作を実行するときに、前記第１の倍率において得た被写体の情報を画像処理することにより、前記第１の倍率から前記第２の倍率まで順次拡大した被写体の画像を、連続的に前記表示手段に表示することを特徴とする。
【００１３】
請求項３に記載の発明は、複数の倍率に変倍を行うために複数のレンズユニットを移動させるズーム区間と、前記倍率においてピントが合うように前記複数のレンズユニットを移動させる前記ズーム区間と隣接して設けられたフォーカス区間とを連続して有し、複数の倍率に段階的に変倍可能なズームフォーカスタイプのズームレンズ鏡胴と、前記ズームレンズ鏡胴を介して被写体の像を撮影する撮像素子と、前記撮像素子で撮影した被写体の像を表示する表示手段と、を備えたデジタルカメラであって、前記複数の倍率のうちの第１の倍率から第２の倍率にズームアウト動作を実行するときに、前記第１の倍率において得た被写体の情報を画像処理することにより、前記第１の倍率から前記第２の倍率まで順次縮小した被写体の画像を、連続的に前記表示手段に表示することを特徴とする。
【００１４】
請求項４に記載の発明は、請求項３に記載の発明において、前記撮像素子は、前記複数のレンズユニットが前記第１の倍率で撮影を行うための位置に配置された状態で、被写体における前記第２の倍率において撮影されるべき領域が撮影可能であり、前記表示手段は、前記撮像素子により撮影された領域のうち中央部の領域のみを表示する。
【００１５】
請求項５に記載の発明は、請求項１乃至請求項４に記載の発明において、前記撮像素子はＣＣＤカメラであり、前記表示手段は液晶表示パネルである。
【００１６】
【発明の実施の形態】
以下、この発明の実施の形態を図面に基づいて説明する。図１はこの発明に係るデジタルカメラの斜視図である。
【００１７】
このデジタルカメラは、本体１と、本体１の正面側に配設されたズームレンズ鏡胴２と、本体１の裏面側に配設された表示手段としての液晶表示パネル３と、本体１の上面に配設されたシャッターボタン４と、本体１の裏面に配設されたズームボタン５と、本体１の内部に配設された撮像素子としてのＣＣＤカメラとを備える。このデジタルカメラにおいては、液晶表示パネル３に表示された画像を確認しながらズームボタン５を操作して撮影される画像の倍率を決定した後、シャッターボタン４を操作して画像の撮影を行う構成となっている。
【００１８】
図２は、上述したズームレンズ鏡筒２の断面図である。ここで、図２（ａ）は第１、第２レンズユニット１０、２０が広角（ワイド）側に配置された状態を、図２（ｂ）は第１、第２レンズユニット１０、２０が中間（ミドル）位置に配置された状態を、さらに、図２（ｃ）は第１、第２レンズユニット１０、２０が望遠（テレ）側に配置された状態を示している。なお、この図においては、各第１、第２、第３レンズユニット１０、２０、３０等はその半分のみを表示している。
【００１９】
このズームレンズ鏡胴２は、６カ所のズーム位置での撮影を可能としたものであり、デジタルカメラの本体１に固定された固定筒４１と、固定筒４１に対して回転可能に構成されたカム筒４２と、第１レンズユニット１０を構成する各レンズ１１、１２、１３を支持する第１レンズ支持筒４３と、第２レンズユニット２０を構成する各レンズ２１、２２、２３を支持する第２レンズ支持筒４４と、単一のレンズより構成される第３レンズユニット３０を支持する支持部材４５と、ＣＣＤカメラ５０とを備える。
【００２０】
カム筒４２の基端部外周面にはギヤ部が形成されており、このギヤ部は、固定筒４１に連結する軸４６の回りを回転する中間ギヤ４７と噛合している。また、この中間ギヤ４７は、デジタルカメラの本体１に固定されたモータ４９の回転軸に固定された駆動ギヤ４８と噛合している。このため、カム筒４２は、モータ４９の駆動により回転する。
【００２１】
カム筒４２の内周面には、後述する第１、第２のカム溝５１、５２が形成されている。そして、第１レンズ支持筒４３の端部に形成されたピン５３は、第１のカム溝５１と係合しており、第２レンズ支持筒４４の端部に形成されたピン５４は、第２のカム溝５２と係合している。
【００２２】
図３は、カム筒４２の内周面を示す展開図である。
【００２３】
このカム筒４２には第１のカム溝５１と第２のカム溝５２とが形成されている。上述したように、第１のカム溝５１は、第１レンズ支持筒４３におけるピン５３と係合する。また、第２のカム溝５２は、第２レンズ支持筒４４におけるピン５４と係合する。
【００２４】
第１のカム溝５１は、略直線状の形状を有する。一方、第２のカム溝５２は、交互に形成された５個のズーム区間Ｚ１、Ｚ２、Ｚ３、Ｚ４、Ｚ５と６個のフォーカス区間Ｆ１、Ｆ２、Ｆ３、Ｆ４、Ｆ５、Ｆ６とから構成されている。ここで、ズーム区間Ｚ１、Ｚ２、Ｚ３、Ｚ４、Ｚ５は、第２レンズユニット２０を第１レンズユニット１０と共に光軸方向に移動させることによりズーム切り替え動作を実行する際に使用される領域である。また、フォーカス区間Ｆ１、Ｆ２、Ｆ３、Ｆ４、Ｆ５、Ｆ６は、第２レンズユニット２０を停止させた状態で第１レンズユニット２０を光軸方向に移動させることにより焦点合わせ動作を実行する際に使用される領域である。なお、フォーカス区間Ｆ１、Ｆ２、Ｆ３、Ｆ４、Ｆ５、Ｆ６は、６カ所のズーム位置で撮影を可能とするため、６個配設されている。
【００２５】
以上のように構成されたズームレンズ鏡胴２においては、モータ４９の駆動でカム筒４２を回転させることにより、第１レンズユニット１０を支持する第１レンズ支持筒４３および第２レンズユニット２０を支持する第２レンズ支持筒４４が光軸方向に往復移動し、第１レンズユニット１０と第２レンズユニット２０とが、必要な倍率に対応し、かつ、合焦点の位置に配置される。
【００２６】
図４は、この発明に係るデジタルカメラの主要な電気的構成を示すブロック図である。
【００２７】
このデジタルカメラは、後述する画像処理を実行するための画像処理部６１を備える。この画像処理部６１は、ＣＰＵやメモリ等を備え、カメラ全体の動作を制御する制御部としても機能する。この画像処理部は、シャッターボタン４やズームボタン５等の操作部と連結されている。また、この画像処理部６１は、表示手段としての液晶表示パネル３や、撮像素子としてのＣＣＤカメラ５０と接続されている。さらに、この画像処理部６１は、ズームレンズ鏡胴２における第１レンズユニット１０と第２レンズユニット２０とを移動させるためのモータ４９と、このモータ４９の回転数を検出して第１レンズユニット１０と第２レンズユニット２０の位置を制御するためのエンコーダ６２とも接続されている。
【００２８】
次に、上述したデジタルカメラを使用したズーミング動作について説明する。最初に、ズームイン動作について説明する。図５は、この発明に係るデジタルカメラによるズームイン動作を説明するための説明図である。
【００２９】
例えば、ズームレンズ鏡胴２における第１レンズユニット１０と第２レンズユニット２０とが図３に示す最も広角側の第１ズーム位置Ａから第２ズーム位置Ｂまで移動する場合においては、第１レンズユニット１０と第２レンズユニット２０とは、ズーム域Ｚ１とフォーカス域Ｆ１とを移動することになる。このため、この間にＣＣＤカメラ５０により撮像した画像を単純に液晶表示パネル３に表示したのでは、ズーム動作中に被写体の画像を連続的にズーミングすることが不可能となり、また、ズーミング動作中に表示手段に表示される画像は焦点が合っていないものになる。
【００３０】
このため、このデジタルカメラにおいては、第１ズーム位置Ａにおける撮像倍率と第２ズーム位置Ｂにおける撮像倍率とに基づいて、第１レンズユニット１０と第２レンズユニット２０とが第１ズーム位置Ａに配置された場合にＣＣＤカメラ５０により撮像した画像Ｄ１１のうちのどの領域の画像が、第１レンズユニット１０と第２レンズユニット２０とが第２ズーム位置Ｂに配置されたときに液晶表示パネル３に表示されるのかを判断する。そして、第１レンズユニット１０と第２レンズユニット２０とがズーム域Ｚ１とフォーカス位置Ｆ１とを移動して図３に示す最も広角側の第１ズーム位置Ａから第２ズーム位置Ｂまで移動する間に、第１レンズユニット１０と第２レンズユニット２０とが第１ズーム位置Ａに配置された場合にＣＣＤカメラ５０により撮像し液晶表示パネル３に表示された画像Ｄ１１から、第１レンズユニット１０と第２レンズユニット２０とが第２ズーム位置Ｂに配置された場合に液晶表示パネル３に表示される画像Ｄ１４まで、電子的にズームイン表示を実行する。
【００３１】
すなわち、図５に示すように、第１レンズユニット１０と第２レンズユニット２０とが第１ズーム位置Ａに配置された場合にＣＣＤカメラ５０により撮像し液晶表示パネル３に表示された画像Ｄ１１全体の領域Ｅ１１から、順次小さい領域Ｅ１２、Ｅ１３、Ｅ１４の画像を連続して電子的に液晶表示パネル３の全領域に表示する。これにより、液晶表示パネル３には、画像Ｄ１１から、順次画像Ｄ１２、Ｄ１３、Ｄ１４が連続して表示されることになる。このため、第１レンズユニット１０と第２レンズユニット２０とが第１ズーム位置Ａから第２ズーム位置Ｂまで移動する間に、液晶表示パネル３には、ズームレンズ鏡胴２によりズームインされた画像と等価な画像が表示されることになる。
【００３２】
第１レンズユニット１０と第２レンズユニット２０とが第２ズーム位置Ｂに配置されたときには、そのときにＣＣＤカメラ５０により撮像された画像Ｄ１４が画像処理部６１により取り込まれる。そして、引き続きズームレンズ鏡胴２における第１レンズユニット１０と第２レンズユニット２０とが図３に示す第２ズーム位置Ｂから第３ズーム位置Ｃまで移動する場合においては、上記の場合と同様、第２ズーム位置Ｂにおける撮像倍率と第３ズーム位置Ｃにおける撮像倍率とに基づいて、第１レンズユニット１０と第２レンズユニット２０とが第２ズーム位置Ｂに配置された場合にＣＣＤカメラ５０により撮像した画像Ｄ１４のうちのどの領域の画像が、第１レンズユニット１０と第２レンズユニット２０とが第３ズーム位置Ｃに配置されたときに液晶表示パネル３に表示されるのかを判断した上で、上述した場合と同様の工程により、電子的にズームイン表示を実行する。第１レンズユニット１０と第２レンズユニット２０とが第４、第５、第６ズーム位置Ｄ、Ｅ、Ｆに移動する場合もこれと同様である。
【００３３】
次に、ズームアウト動作について説明する。図６は、この発明に係るデジタルカメラによるズームアウト動作を説明するための説明図である。
【００３４】
ズームアウト動作を実行する場合も、基本的には、上述したズームイン動作を実行する場合と同様の考え方を採用する。但し、ズームアウト動作を実行する場合には、上述したズームイン動作を行う場合とは異なり、ズームアウトの開始時には、ズームアウト後の画像が取り込まれていないという問題が生ずる。
【００３５】
すなわち、上述したズームイン動作を実行する場合には、第１レンズユニット１０と第２レンズユニット２０とが第１ズーム位置Ａに配置されたときにＣＣＤカメラ５０により撮像した画像Ｄ１１は、第１レンズユニット１０と第２レンズユニット２０とが第２ズーム位置Ｂに配置されたときに撮像されるであろう画像のデータを全て備えている。しかしながら、ズームアウト動作を実行する場合には、ズームアウト動作を実行する時点ではズームアウト後の画像データは取り込まれていない。このため、このデジタルカメラにおいては、ＣＣＤカメラ５０が１レンズユニット１０と第２レンズユニット２０とがズームアウト前の倍率で撮影を行うための位置に配置された状態で、被写体におけるズームアウト後の倍率において撮影されるべき領域が撮影可能となるよう、ズームレンズ鏡胴２等の設計がなされている。
【００３６】
より具体的には、例えば、第１レンズユニット１０と第２レンズユニット２０とが図３に示す最も望遠側の第６ズーム位置Ｆから第５ズーム位置Ｅまで移動する場合においては、ＣＣＤカメラ５０は、第１レンズユニット１０と第２レンズユニット２０とが第６ズーム位置に配置された状態で、図６に示す領域Ｅ２４が撮像可能となっている。この領域Ｅ２４は、第１レンズユニット１０と第２レンズユニット２０とが第５ズーム位置に配置された状態でＣＣＤカメラ５０により撮影されるべき領域と一致している。但し、この状態においては、液晶表示パネル３には、第１レンズユニット１０と第２レンズユニット２０とが第５ズーム位置に配置された状態でＣＣＤカメラ５０により撮影されるべき領域Ｅ２１のみが表示される。
【００３７】
そして、第１レンズユニット１０と第２レンズユニット２０とがズーム域Ｚ５とフォーカス位置Ｆ５とを移動して図３に示す最も望遠側の第５ズーム位置Ｆから第４ズーム位置Ｅまで移動する間に、第１レンズユニット１０と第２レンズユニット２０とが第５ズーム位置Ｆに配置された場合にＣＣＤカメラ５０により撮像し液晶表示パネル３に表示された画像Ｄ２１から、第１レンズユニット１０と第２レンズユニット２０とが第４ズーム位置Ｅに配置された場合に液晶表示パネル３に表示される画像Ｄ２４まで、電子的にズームアウト表示を実行する。
【００３８】
すなわち、上述したズームイン動作の場合と同様、図６に示すように、第１レンズユニット１０と第２レンズユニット２０とが第５ズーム位置Ｆに配置された場合にＣＣＤカメラ５０により撮像した領域Ｅ２４から、順次小さい領域の画像を領域Ｅ２１まで連続して電子的に液晶表示パネル３の全領域に表示する。これにより、液晶表示パネル３には、画像Ｄ２１から、順次画像Ｄ２２、Ｄ２３、Ｄ２４が連続して表示されることになる。このため、第１レンズユニット１０と第２レンズユニット２０とが第５ズーム位置Ｆから第４ズーム位置Ｅまで移動する間に、液晶表示パネル３には、ズームレンズ鏡胴２によりズームアウトされた画像と等価な画像が表示されることになる。
【００３９】
第１レンズユニット１０と第２レンズユニット２０とが第４ズーム位置Ｅに配置されたときには、そのときにＣＣＤカメラ５０により撮像された画像Ｄ２４がその周囲の領域の画像と共に画像処理部６１により取り込まれる。そして、引き続きズームレンズ鏡胴２における第１レンズユニット１０と第２レンズユニット２０とが図３に示す第４ズーム位置Ｅから第３ズーム位置Ｃまで移動する場合においては、上記の場合と同様の工程により、電子的にズームアウト表示を実行する。第１レンズユニット１０と第２レンズユニット２０とが第３、第２、第１ズーム位置Ｃ、Ｂ、Ａに移動する場合もこれと同様である。
【００４０】
なお、上述した実施形態においては、第１レンズユニット１０と第２レンズユニット２０との二個のレンズユニットを使用してズーム動作とフォーカス動作とを実行しているが、三個以上のレンズユニットを使用してズーム動作とフォーカス動作とを実行するようにしてもよい。
【００４１】
【発明の効果】
請求項１に記載の発明によれば、ズーム動作を実行するときに、ズーム動作を実行する前に得た被写体の情報を画像処理することによりズーミングさせた画像を表示手段に表示することから、デジタルカメラでズーミングを実行する場合にズームフォーカスタイプのズームレンズ鏡胴を使用することができ、その製造コストの低減とコンパクト化が可能となる。
【００４２】
請求項２に記載の発明によれば、第１の倍率から第２の倍率にズームイン動作を実行するときに、第１の倍率において得た被写体の情報を画像処理することにより、第１の倍率から第２の倍率まで順次拡大した被写体の画像を、連続的に前記表示手段に表示することから、デジタルカメラでズームインを実行する場合にズームフォーカスタイプのズームレンズ鏡胴を使用することができ、その製造コストの低減とコンパクト化が可能となる。
【００４３】
請求項３および請求項４に記載の発明によれば、第１の倍率から第２の倍率にズームアウト動作を実行するときに、第１の倍率において得た被写体の情報を画像処理することにより、第１の倍率から第２の倍率まで順次縮小した被写体の画像を、連続的に前記表示手段に表示することにより、デジタルカメラでズームアウトを実行する場合にズームフォーカスタイプのズームレンズ鏡胴を使用することができ、その製造コストの低減とコンパクト化が可能となる。
【００４４】
請求項５に記載の発明によれば、安価なＣＣＤカメラと液晶表示パネルとを使用してズーム動作を実行することができる。
【図面の簡単な説明】
【図１】この発明に係るデジタルカメラの斜視図である。
【図２】ズームレンズ鏡筒２の断面図である。
【図３】カム筒４２の内周面を示す展開図である。
【図４】この発明に係るデジタルカメラの主要な電気的構成を示すブロック図である。
【図５】この発明に係るデジタルカメラによるズームイン動作を説明するための説明図である。
【図６】この発明に係るデジタルカメラによるズームアウト動作を説明するための説明図である。
【符号の説明】
１      本体
２      ズームレンズ鏡胴
３      液晶表示パネル
４      シャッターボタン
５      ズームボタン
１０    第１レンズユニット
２０    第２レンズユニット
３０    第３レンズユニット
４１    固定筒
４２    カム筒
４３    第１レンズ支持筒
４４    第２レンズ支持筒
４５    支持部材
４６    軸
４７    中間ギヤ
４８    駆動ギヤ
４９    モータ
５０    ＣＣＤカメラ
５１    第１のカム溝
５２    第２のカム溝
５３    ピン
５４    ピン
６１    画像処理部
６２    エンコーダ
【図１】
2004253972.tif 000003
【図２】
2004253972.tif 000004
【図３】
2004253972.tif 000005
【図４】
2004253972.tif 000006
【図５】
2004253972.tif 000007
【図６】
2004253972.tif 000008